(57)【要約】【課題】電源スイッチ操作の有無に拘わらず、停電を検知できるようにする。【解決手段】ＬＥＤ用ＤＣ電源回路１２には、電源スイッチ２０の操作の有無に拘わらず、所定の電源電圧が供給される。ＤＣ電源回路の出力側に得られる電源スイッチの操作に関連した出力信号がマイコン制御回路２７に供給される。この出力信号を監視することでＬＥＤ照明器１４に供給される駆動電流が制御されるので、ＤＣ電源回路に電源電圧が印加され続けても、電源スイッチの操作に応じてＬＥＤ照明器を点灯制御できる。ＤＣ電源回路の入力側には停電検知回路３５が接続されているので、停電の有無に対応した停電検知信号が得られる。停電時は非常用電源２６からＬＥＤ照明器に駆動電圧が供給される。【選択図】        図１
2019008919.tif 000002
【特許請求の範囲】
【請求項１】
発光素子からなる照明器具において、照明器具制御用の電源スイッチの操作の有無に拘わらず、所定の電源電圧が供給される、上記発光素子に対するＤＣ電源回路と、
上記発光素子と電源回路との間に接続され、上記発光素子に駆動電流を供給する電流回路と、
非常用電源回路と、
上記ＤＣ電源回路の出力電圧から得られた上記電源スイッチの操作に関連した出力信号が供給される上記電流回路制御用の制御回路と、
上記ＤＣ電源回路の入力側に接続される停電検知回路とからなり、
上記制御回路では停電検知信号が得られたとき、上記非常用電源回路から上記発光素子に駆動電圧が供給されることを特徴とする照明器具。
【請求項２】
照明器具に使用される上記電源スイッチには、
上記電源スイッチの操作の有無に拘わらず、常時所定の電源電圧が出力側に供給されるように、モーメンタリースイッチ機能を備えた操作変換器が備えられ、
上記制御回路で上記ＤＣ電源回路の出力を監視すると共に、上記電源スイッチの操作に対応するように上記電流回路の出力が上記制御回路によって制御されることを特徴とする請求項１記載の照明器具。
【請求項３】
光センサが設けられ、
この光センサからのセンサ出力が上記制御回路に供給され、
上記センサ出力によって停電時の点灯状態が制御される
ことを特徴とする請求項１記載の照明器具。
【請求項４】
上記センサ出力の断続に応じて停電時における明るさが制御されることを特徴とする請求項３記載の照明器具。
【発明の詳細な説明】
【技術分野】
【０００１】
この発明は、照明器具特に、ＬＥＤなどの半導体発光素子を光源として使用した照明器具に関し、特に停電対策を講じた照明器具に関する。
【背景技術】
【０００２】
家庭などでの停電を検知して部屋に据付られた照明器具を内蔵のバッテリーで点灯させるに当たり、発光素子を内蔵した電源スイッチ（いわゆる蛍スイッチ）を流れる微弱電流によって、停電の有無を検知する技術が知られている（例えば特許文献１）。
【先行技術文献】
【特許文献】
【０００３】
【特許文献１】特許５４００９９０号
【発明の概要】
【発明が解決しようとする課題】
【０００４】
上述した特許文献１は、照明器具がオフ（消灯）しているときに蛍用発光素子を流れる微弱電流を検知するものであって、停電時はこの微弱電流が流れなくなるので、そのときの検知出力に基づいて照明器具に内蔵したバッテリーから照明器具に電源を供給するように構成したものである。
【０００５】
したがって、特許文献１に係る技術は、蛍用発光素子を内蔵した電源スイッチを使用する照明器具のみに適用できるものである。
【０００６】
一般家庭用などとして広く使用されている照明器具用の電源スイッチとしては、蛍スイッチの他に、蛍機能を備えていないシーソースイッチ又はオルターネートスイッチ等があるので、これらのスイッチには特許文献１の技術は適用できない。
【０００７】
そこで、この発明はこのような課題を解決したものであって、電源スイッチとして蛍機能を有していない場合でも、停電を確実に検知できるようにした照明器具を提案するものである。
【課題を解決するための手段】
【０００８】
上述した課題を解決するため、請求項１記載の発明に係る照明器具は、
発光素子からなる照明器具において、照明器具制御用の電源スイッチの操作の有無に拘わらず所定の電源電圧が供給される、上記発光素子に対するＤＣ電源回路と、
上記発光素子と電源回路との間に接続され、上記発光素子に駆動電流を供給する電流回路と、
非常用電源回路と、
上記ＤＣ電源回路の出力電圧から得られた上記電源スイッチの操作に関連した出力信号が供給される上記電流回路制御用の制御回路と、
上記ＤＣ電源回路の入力側に接続される停電検知回路とからなり、
上記制御回路では停電検知信号が得られたとき、上記非常用電源回路から上記発光素子に駆動電圧が供給されることを特徴とする。
【０００９】
請求項２記載のこの発明に係る照明器具は、請求項１記載の照明器具であって、この照明器具に使用される電源スイッチには、
上記電源スイッチの操作の有無に拘わらず、常時所定の電源電圧が出力側に供給されるようなモーメンタリースイッチ機能を備えた操作変換器が備えられ、
上記制御回路で上記ＤＣ電源回路の出力を監視すると共に、上記電源スイッチの操作に対応するように上記電流回路の出力が上記制御回路によって制御されることを特徴とする。
【００１０】
請求項３記載のこの発明に係る照明器具は、請求項１記載の照明器具であって、光センサが設けられ、
この光センサからのセンサ出力が制御回路に供給され、
上記センサ出力によって停電時の点灯状態が制御されることを特徴とする。
【００１１】
請求項４記載のこの発明に係る照明器具は、請求項３記載の照明器具であって、
上記センサ出力の断続に応じて停電時における明るさが制御されることを特徴とする。
【発明の効果】
【００１２】
請求項１に記載したこの発明に係る照明器具によれば、照明器具制御用の電源スイッチの操作の有無に拘わらず、所定の電源電圧が発光素子に対するＤＣ電源回路に供給されるように構成すると共に、電源スイッチの操作を内蔵制御回路で監視し、電源スイッチの操作に対応した点灯制御を行えるようにしたものであり、さらにＤＣ電源回路の入力側に流れる電流によって停電の有無を検知し、停電が検知されたときには発光素子からなる照明器を非常灯として使用できるようにしたものである。
【００１３】
照明器具制御用の電源スイッチのオンオフ操作の有無に拘わらず、所定の電源電圧が発光素子に対するＤＣ電源回路に供給されるようにすれば、停電時には電源電圧の供給がなくなるから、この電源電圧の有無を検知すれば停電の有無を確実に検知できる。そのため、微弱電流から停電を検知するのではないため、どのような電源スイッチであっても、その種類に拘わらず、停電を検知できる特徴を有する。
【００１４】
請求項２記載のこの発明に係る照明器具では、電源スイッチの操作の有無に拘わらず、常時所定の電源電圧が出力側に供給されるように、電源スイッチにモーメンタリースイッチ機能を備えた操作変換器を付加したものである。さらに、内蔵の制御回路でＤＣ電源回路の出力を監視し、電源スイッチのオンオフ操作に関連して得られるＤＣ電源回路の出力によって、点灯か消灯かを判断してそれに応じて照明器への駆動電流を制御するようにしたものである。
【００１５】
これによれば、ＤＣ電源回路に常時電源電圧が供給されている場合であっても、電源スイッチのオンオフ操作を電気的に把握できるので、そのスイッチ操作に対応して照明器具を点灯させたり、消灯することができる。
【００１６】
既存の電源スイッチを改変することなく単に操作変換器を付け加えるだけで停電システムを構築できるので、非常に有用である。
【００１７】
請求項３記載のこの発明に係る照明器具では、光センサからのセンサ出力によって停電時における照明の明るさを制御することができる。例えば日中に停電が発生したようなときは、停電であっても点灯させる必然性はないからである。しかし、日没以降も停電が継続しているようなときは自動的に点灯し、非常灯として機能することになる。
【００１８】
請求項４記載のこの発明に係る照明器具では、センサ出力を断続させることで明るさを調整できるから、予め設定した明るさよりもう少し暗くしたりする光量制御が可能になる。明るさを絞ることによって長時間の停電にも対応できる。センサ出力を断続させるには光を遮る時間を変えるとか、光を遮る数を変えるなどで対応できる。
【図面の簡単な説明】
【００１９】
【図１】この発明に係る照明器具の一例を示す要部の系統図である。
【図２】照明器具の使用状態の動作例を示すタイミングチャート図である。
【図３】電源スイッチのオンオフ操作と停電時の動作例を示すフローチャート図である。
【図４】充電時の説明に供するフローチャートである。
【図５】この発明に係る照明器具に使用される電源スイッチのカバーに操作変換器を付け加えたときの一例を示す斜視図である。
【図６】操作変換器の正面からみたときの分解斜視図である。
【図７】操作変換器を裏面からみたときの分解斜視図である。
【図８】操作変換器を電源スイッチに取り付けたときのオン操作状態の横断面図である。
【図９】電源スイッチをオフ状態に操作したときの図８と同様な横断面図である。
【図１０】図７の平面図である。
【図１１】電源スイッチの他の例に適用したときの操作変換器の取り付け状態を示す斜視図である。
【発明を実施するための形態】
【実施例１】
【００２０】
続いて、この発明に係る照明器具の一例を、図面を参照して説明する。
【００２１】
図１は、照明器具の要部の系統図である。以下の例はＬＥＤなどの発光素子をベースにした照明器を例示する。一例としてＬＥＤが１０個直列に接続され、その一列に６０ｍＡの電流を流し、そのブロックが１０列並列に接続され、全体で１００個のＬＥＤが使用されたプリント基板を有し、全体で６００ｍＡの定電流を流すように構成されたＬＥＤ照明器（ＬＥＤ集合ユニット）について説明する。
【００２２】
このＬＥＤ照明器全体を灯具に組み込んだり、現状の蛍光灯と互換するチューブ（管体）の中に組み込んだりして光源として使用される。
【００２３】
図１において、照明器具１０は照明器具制御用の電源スイッチ２０の操作の有無に拘わらず、所定の電源電圧が供給される、ＬＥＤ用のＤＣ電源回路１２と、ＬＥＤ照明器１４とそのＤＣ電源回路１２との間に接続されてＬＥＤに上述した駆動電流を供給する電流回路（定電流回路）１６と、主制御回路２５で構成される。
【００２４】
ＤＣ電源回路１２はＬＥＤ集合ユニット１４に対する駆動電圧とマイコンで構成された主制御回路２５に対する動作電圧とを供給するためのもので、３５Ｖ，６００ｍＡのＤＣ電圧に変換され、主制御回路２５には非常用電源として使用される二次電池２６を有し、上述したＤＣ電圧は充電制御回路３０と制御回路用電源回路２８とに供給される。ダイオードＤａ，Ｄｂはいずれも逆流防止用のダイオードである。
【００２５】
ＤＣ電源回路１２からマイコン制御回路２７に所定の動作電圧が供給される。マイコン制御回路２７によって上述した充電制御回路３０の他に、定電流回路１６、昇圧回路３３などが制御される。
【００２６】
まず、定電流制御回路１６に対してはＬＥＤ集合ユニット１４に対する点灯・消灯をＤＣ出力電圧の出力状態に応じて制御するための制御信号が供給される。ＤＣ出力電圧の出力状態は図２Ｂに示すように電源スイッチ２０の操作に応じて変化するからである。
【００２７】
マイコン制御回路２７では二次電池２６の充電電圧が監視される。この例では、１．２Ｖのニッケル水素電池が４個直列接続されたものが使用されており、充電制御回路３０を介して充電電流がこの二次電池２６に供給されるように構成されている。マイコン制御回路２７ではそのトータル充電電圧が監視され、充電が完了するまで充電電流が二次電池２６に供給される。充電制御回路３０はＤＣ出力電圧（３５ボルト）を充電に適した電圧に変換するためのものである。
【００２８】
充電電圧は昇圧回路３３で、この例では３０〜３５ボルトの駆動電圧に昇圧され、昇圧された駆動電圧はスイッチング素子（トランジスタ）Ｔｒ及び逆流阻止用素子（ダイオード）Ｄｃを介してＬＥＤ集合ユニット１４に供給される。昇圧回路３３はＤＣ−ＤＣコンバータ等で構成できる。
【００２９】
昇圧回路３３及びスイッチングトランジスタＴｒはいずれも、停電時のみに動作するようにマイコン制御回路２７によって制御される。
【００３０】
主制御回路２５には停電検知回路３５の出力が供給される。この例ではＤＣ電源回路１２の入力側、したがって電源スイッチ２０の出力側の交流電圧の有無を検知できるように停電検知回路３５が設けられている。この例では電流制御用抵抗Ｒを介してホトカプラー３６のホトダイオード３６ａに交流電流が印加され、交流電流が流れることによってホトダイオード３６ａからの光がホトトランジスタ３６ｂによって検知される。このホトトランジスタ３６ｂの出力が電圧検知回路２９を経てマイコン制御回路２７に供給される。交流電流が得られなくなると、つまり交流源が停電になったときには停電検知信号がゼロになるから、この検知信号の有無で停電の状態を検知できる。
【００３１】
電源スイッチ２０には後述する操作変換器７０が取り付けられる。この操作変換器７０は、電源スイッチ２０がオフに切り換えられたときでも即座にオン状態に強制的に切り換えることによって、交流電圧がほぼ途切れることになくＤＣ電源回路１２に印加されるようにするためのモーメンタリースイッチ機能を備えた機械的変換器である。詳細は後述する。
【００３２】
マイコン制御回路２７には光センサー３１からのセンサー出力が供給され、停電が夜間（周囲が暗いとき）に発生したときにのみ非常灯として点灯させる。詳細は後述する。
【００３３】
マイコン制御回路２７にはスピーカを内蔵したＬＥＤ表示器３２が接続されている。ＬＥＤ表示器３２は、外部からの操作信号を受信したとき、受信の都度断続的に点灯状態が制御される。外部からの操作は非常時を考慮し、特定のリモコン等は使用せず光を発する物、例えば懐中電灯やスマートホン等の画面そのものの明かりでも良く、その点滅制御は、例えば０．５秒間だけ点灯し、その後３秒間消灯するようなサイクルを１サイクルとして数サイクルで完了するような制御が考えられる。明かりを遮っての点灯/消灯による点灯制御でも良い。
【００３４】
停電時に非常灯として使用する場合、点灯時間が長くなって電池の容量が減少し、一定の電圧以下であることがマイコン制御回路２７で検出されたようなときには、ＬＥＤ集合ユニット１４自体を点滅制御表示すると共に、スピーカを駆動して注意喚起を促すような機能も備えている。
【００３５】
このように構成された照明器具１０の動作を図２〜図４を参照して説明する。上述した操作変換器７０は、電源スイッチ２０に替わる操作スイッチとして機能するもので、電源スイッチ２０のノブを操作する押しボタン１００（図５参照）が設けられている。
【００３６】
上述した操作変換器７０を電源スイッチ２０に取り付ける前は、電源スイッチ２０はオフしておく。この状態で操作変換器７０を取り付けると、後述するように操作変換器７０に設けられた可動部８０の作用によって電源スイッチ２０はオン状態に切り替えられた状態と同じ状態となるので、操作変換器７０を取り付けた直後（時点ｔ１まで）では、ＤＣ電源回路１２から所定の出力電圧（図２Ｂ）が得られ、このとき、マイコン制御回路２７には最初のトリガーが入力するも、この最初のトリガーでは定電流回路１６からは駆動電圧が出力されないような初期設定されているものとする（図２Ｃ）。したがって、ＬＥＤ集合ユニット１４は消灯状態を保持する（図２Ｄ）。
【００３７】
次に、押しボタン１００を操作（１度目操作）すると（図２Ａ  時点ｔ２）、操作変換器７０の作用（可動部８０の反作用）で、電源スイッチ２０は一旦オフに切り替えられるが、その直後にオン状態に自動的に復帰する。その結果、ＤＣ出力電圧は図２Ｂのように瞬電の後再び所定の出力電圧が得られると共に、マイコン制御回路２４ではこの１度目操作状態が検知され、定電流回路１６からの電流がＬＥＤ集合ユニット１４に供給されてＬＥＤ集合ユニット１４が点灯する。以後は押しボタン１００の操作と１対１に対応して、時点ｔ２,ｔ３,・・・のように消灯―点灯―消灯―・・・が繰り返される。
【００３８】
以上の動作を実現するフローチャートを、図３を用いて説明する。
【００３９】
図３に示すように、まずＡＣ１００Ｖラインが接続されているかどうかがチェックされ（ステップ４１）、接続されているときには初期設定として消灯処理が行われる（ステップ４２）。ここに、ＡＣ１００Ｖラインとは図１に示すように電源スイッチ２０に接続された交流源２１の電源ラインのことであり、操作変換器７０が設置されることによって電源ラインが接続されたものと判断する。
【００４０】
その後、ＤＣ電源回路１２からのＤＣ出力の有無が確認され（ステップ４３）、ＤＣ出力電圧が出力されているときには電源スイッチ２０の操作確認モードに遷移する（ステップ４４）。電源スイッチ２０の操作確認は、操作変換器７０に設けられた押しボタン１００が操作されたかどうかの判断であって、図２Ａのように１度目の操作が行われ、続けてもう１度操作されたかどうか、つまり再度の操作が判断される（ステップ４５）。連続操作ではなく、単独操作であるときにはＬＥＤ集合ユニット１４が点灯状態に制御される（ステップ４６）。１度目の操作に対し、再度の操作が行われたときには消灯状態に制御される（ステップ４５,４７）。
【００４１】
ＬＥＤ集合ユニット１４が消灯してもＡＣ１００Ｖラインは接続された状態であるのでＤＣ電源回路１２にはＡＣ１００Ｖが供給された状態が保持される（図２Ｂ,Ｃ）。これは押しボタン１００の操作とその解除で、電源スイッチ２０は一旦オフするも、直後にオン状態に強制復帰するからである（図２Ａ）。
【００４２】
ＡＣ１００Ｖが供給されない状態は停電したと判断できるから（ステップ４３）、この場合には停電による非常灯点灯処理に遷移し、瞬電よりも長く停電が続いたときには、停電と判断する。そのためマイコン制御回路２７でこの停電状態が検知されると（ステップ４８）、光センサー３１からの光量の多少（センサー出力）が判別される（ステップ４９）。地震などによる停電は昼夜の如何を問わずいずれの時間帯でも発生するが、昼間では停電してもＬＥＤを点灯させる必要はないので消灯のままとなる（ステップ５０）。
【００４３】
しかし、周囲が暗いときには光量も少ないので、既定光量以下のセンサ出力と判断したときには、ＬＥＤを点灯させ（ステップ５１）、非常灯として使用する。これによって、周囲が暗いときに、ＬＥＤ集合ユニット１４が取り付けられた居間などの灯りを確保できる。
【００４４】
非常灯として点灯させたときのＬＥＤの明るさは、予め定められた明るさ（例えば、通常の１/２の明るさ）となるように設定されているが、調光すべき情報が光センサ３１の光量変化として確認されたときには、調光処理が行われる（ステップ５２,５３）。
【００４５】
調光すべき情報としては、光センサ出力を断続させて行うことが考えられる。例えば１回目の光遮断で、より明るく調光し（最大調光）、２回目の遮断で今度は消灯から、段階的に明るさを増すようなサイクル制御が考えられる。これとは逆に、１回目の光遮断で明るさを最小限に絞り込み、２回目の遮断から消灯のあと、段階的に光量を増すようなサイクル制御も考えられる。
【００４６】
このような調光処理、例えば光量を絞る調光は、停電が長引くと判断したとき、長時間非常用灯として使用できるようにするためであり、長い時間に亘り非常灯として使用する代わりに、明るさを多少犠牲にする処理である。周囲が明るくなってきたときは、積極的に灯りを消す。
【００４７】
このようにＤＣ電圧を常時監視しながら、操作変換器７０の操作を検知することで、ＬＥＤを通常通り点灯と消灯の制御を行うと共に、交流源２１から直接停電を検知できるようにして非常灯としても活用できるようにしたものである。
【００４８】
図１の電圧検知回路２９で停電が検知され、マイコン制御回路２７で瞬電以外の停電であることが判断されると、その制御出力で昇圧回路３３とスイッチングトランジスタＴｒが制御される。つまり、停電が生じたときにはスイッチングトランジスタＴｒがオンになされると共に、二次電池２６からの充電電圧（４．６Ｖ位）が昇圧回路３３で昇圧され、３０〜３５Ｖまで昇圧された電圧が、ＬＥＤ駆動に必要な電圧（３０Ｖ程度）として、逆流阻止用のダイオードＤｃを介してＬＥＤ集合ユニット１４に印加される。
【００４９】
この制御処理によって停電時でもＬＥＤ集合ユニット１４を非常灯として使用することができる。二次電池２６の充電電圧はマイコン制御回路２７で充電状態が監視されると共に、逆流阻止用のダイオードＤｂを介して制御回路用電源回路２８にもその動作電圧として供給される。
【００５０】
図４は二次電池２６に対する充電処理フローの一例を示すもので、ＤＣ電源回路１２からのＤＣ出力電圧を確認した上で、充電電圧（電池電圧）が監視され（ステップ６１,６２）、規定電圧以下のときは充電を続行するため、充電制御回路３０から充電用の電圧が二次電池２６にダイオードＤａを介して供給される（ステップ６４）。
【００５１】
充電が完了したときは、充電用電圧の供給が停止され、充電オフの状態となる（ステップ６５）。このような充電制御がＤＣ出力電圧をみながら継続される。
【００５２】
続いて、電源スイッチをオフにしても直ちにオン状態に復帰させるための操作変換器（モーメンタリー変換器）７０について図５以下を参照して説明する。
この操作変換器は配線工事を伴う事無く、電源スイッチとしてのシーソースイッチやオルタネートスイッチをモーメンタリースイッチに変換する装置である。
【００５３】
室内に設置された壁スイッチとしては、シーソースイッチやオルタネートスイッチが有るが、この例ではシーソースイッチを例示する。図５に示す電源スイッチ２０は、壁に埋め込まれたスイッチ筐体２２の内側にシーソー型のノブ２４があり、通常はこのノブ２４の左右いずれかを押すことでスイッチのオン・オフが行われる。図の位置はオン状態を示す。
【００５４】
操作変換器７０は内部に操作機構が配された箱型の収納部７２を有する。収納部７２は中が空洞であって、スイッチ筐体２２の外側に嵌め込める大きさ（幅及び高さ）となされている。収納部７２の左右両辺の底部側には貼着片７３が収納部７２と一体形成されている。貼着片７３の壁面側には両面接着片７４が貼り付けられ、両面接着片７４を壁に押し当てることで、収納部７２、したがって操作変換器７０そのものを電源スイッチ２０と一体化出来る構成が採用されている。
【００５５】
収納部７２の外側には収納部７２の外側をすっぽり覆うことができるような中空形成をなす箱状の押しボタン１００がスライド自在に取り付けられる。
【００５６】
図６は操作変換器７０における操作機構を示す分解斜視図である。図８に示す横断面図を参照しながら説明する。
【００５７】
収納部７２の内部の上下には軸係合用凹部７５が設けられ、ここに支軸８２を有する可動部８０が軸支されて、図７に示すように支軸８２を中心に上下方向に動けるようになっている。
【００５８】
可動部８０は支軸８２の左右では形状が異なり、左片８３は平板であるのに対し、右片８４は内部が一部空洞となされたハンマーヘッドである。右片内部構造は図７からも明らかなように中央部に梁８５があり、この梁８５がハンマーヘッドの役目をなす。
【００５９】
可動部８０には図８及び図１０に示すように、支軸８２に巻き付けられたつる巻きバネ８６が左右両片８３．８４側に差し渡されている。この側ではつる巻きバネ８６の一端（右端）が図６及び図８に示すように収納部７２の内面に設けられた係止片７７に係止され、他端（左端）の先端が折り曲げられて左片８３の上面に接触するように取り付けられる（図１０参照）。
【００６０】
つる巻きバネ８６をこのように取り付けることによって、図８のようにつる巻きバネ８６の偏倚力が左側にかかるため、可動部８０は図８のように常に左側に倒された状態となる。これが定常状態である。
【００６１】
この定常状態のとき、梁８５はノブ２４の頂部２４ａに当接するように可動部８０の取り付け位置関係が選定されている。
【００６２】
可動部８０の上面のうち左片８３側を覆うように収納部７２の上下両内面に差し渡って平板状の押え板９０が取り付けられる。押え板９０の一端には、軸係合用凹部７５に軸支される支軸８２を上面側より押さえる押え片９２（図７参照）を有する。押え板９０はつる巻きバネ８６を可動部８０に取り付けることによって、この可動部８０に加わる上方への力によっても、支軸８２が外れないようにするためである。
【００６３】
押しボタン１００の内側四隅には、図７に示すように押しボタン１００のスライドをスムーズに行うためのスライド片１０２が一体形成され、一方これら４枚のスライド片１０２と対向するように、収納部７２の内側四隅にはスライド片１０２に対するガイド片７８が設けられると共に、スライド片１０２の先端に設けられた突起１０４（図７）に対する係止部７９（図８）がガイド片７８の内側に設けられている。
【００６４】
押しボタン１００を収納部７２に挿着するとき、係止部７９を乗り越えて突起１０４の付いたスライド片１０２をガイド片７８内に嵌め込めば、突起１０４と係止部７９とが押しボタン１００に対するストッパとして働き、つる巻きバネ８６の偏倚力が押しボタン１００に作用しても押しボタン１００が収納部７２から抜け落ちるようなことがなくなる。
【００６５】
なお、１１０は銘板であって、銘板１１０には「オンオフ」スイッチのような内容を刻み込んでおく。
【００６６】
図５に示すように収納部７２の上部左右両側面間にはロック金具１２０が回動自在に取り付けられている。このロック金具１２０は押しボタン１００の操作を規制するためのもので、押しボタン１００側に設けられたロック片１００ａにロック金具１２０を係止することで押しボタン１００が押された状態を保持するから、これによってノブ２４はオフの回動位置にロックされる。これは前述したようにＬＥＤ集合ユニット１４への電源供給を遮断するためである。長期に亘り家を空けるようなときの対策として有効である。
【００６７】
ロック金具１２０を使用しないときは収納部７２側に設けられた係止片７２ａにロック金具１２０を係止しておくことになる。
【００６８】
続いて、図５〜図７のように構成された操作変換器７０の動作を説明する。
【００６９】
図８は電源スイッチ２０がオン状態に切り替えられているときの断面図で、ノブ２４は左側に倒れている。つる巻きバネ８６は可動部８０の左片上面に当接しているので、つる巻きバネ８６の偏倚力によって可動部８０も左側に倒れており、これでノブ２４がオン位置を保持することになる。
【００７０】
図示の状態では、可動部８０に設けられた梁８５がノブ２４の頂部２４ａに接触した状態にあり、しかもこの状態では押しボタン１００の内面に右片８４の頂部８４ａが当接した状態となっている。
【００７１】
図８の状態にあるとき、押しボタン１００を押すと、つる巻きバネ８６の偏倚力に抗してその押圧力が可動部８０を介してノブ２４に伝わるから、押しボタン１００を押し切ると図９のようにノブ２４はオフの位置に移動する。このとき可動部８０の左片８３はノブ２４と接触している。
【００７２】
この状態で押しボタン１００から手を離すと、押圧力がゼロとなるのに対し、今度はつる巻きバネ８６の偏倚力が可動部８０を介してノブ２４を下方向に押し下げるように働く。その結果ノブ２４は図８の元位置に復帰する。
【００７３】
このようにシーソー式の電源スイッチ２０はオン位置から1度の操作で、オフ位置に至り、その直後にオン位置に自動復帰する一連の操作（オン・オフ操作）が完結する。
【００７４】
したがって、図３で説明したように、1度目の操作を検知して、ＬＥＤ集合ユニット１４を点灯させ、次の操作（再度操作）を検知して消灯するサイクルを1サイクルとすれば、このサイクル操作で、ＬＥＤ集合ユニット１４を点灯・消灯制御できる。同時にＤＣ電源電圧も瞬電させるだけで継続的に電源スイッチ２０からの交流電圧を、ＤＣ電源回路１２に印加し続けることができる。
【００７５】
その結果、停電したときはＤＣ電源回路１２に印加される交流電圧がゼロとなり、これによって停電の有無も確実に検知できる。
図１１は通常の建物内で使用されているシーソースイッチのバリエーションへの対応例を示す。  図１１Ａは１回路スイッチの場合であり、同図Ｂは２回路スイッチの場合であり、同図Ｃは３回路スイッチへの対応例である。
モーメンタリー変換器７０はシーソースイッチのサイズに合わせて設計されており、粘着両面テープによりどのスイッチにも取り付けられるように作られているので、停電対策した照明器用のスイッチがどの回路に充てられてもそのスイッチ上に装着できるようにしたものである。
スイッチ操作盤としていわゆるワイドサイズの電源スイッチも存在するが、このような電源スイッチにもこの発明を適用できる。この場合にはスイッチ操作盤自体が押下されるので、操作変換器７０もスイッチ操作盤自体の動きに対応させる必要がある。
【００７６】
この発明は、壁スイッチとしては、いわゆる蛍機能の有無を問わず、どのような壁スイッチにも適用できる。
【産業上の利用可能性】
【００７７】
この発明は、室内の照明器具を停電時の非常灯として適用して好適である。
【符号の説明】
【００７８】
１０・・・照明器具
１２・・・ＤＣ電源回路
１４・・・ＬＥＤ集合ユニット（照明器）
１６・・・定電流回路
２０・・・電源スイッチ
２４・・・ノブ
２５・・・主制御回路
２６・・・非常用電源（二次電池）
２７・・・マイコン制御回路
２９・・・電圧検知回路
３０・・・充電制御回路
３５・・・停電検知回路
３１・・・光センサ
７０・・・操作変換器
７２・・・収納部
８０・・・可動部
９０・・・押え板
１００・・・押しボタン
【図１】
2019008919.tif 000003
【図２】
2019008919.tif 000004
【図３】
2019008919.tif 000005
【図４】
2019008919.tif 000006
【図５】
2019008919.tif 000007
【図６】
2019008919.tif 000008
【図７】
2019008919.tif 000009
【図８】
2019008919.tif 000010
【図９】
2019008919.tif 000011
【図１０】
2019008919.tif 000012
【図１１】
2019008919.tif 000013
【手続補正書】
【提出日】平成30年3月15日(2018.3.15)
【手続補正１】
【補正対象書類名】特許請求の範囲
【補正対象項目名】全文
【補正方法】変更
【補正の内容】
【特許請求の範囲】
【請求項１】
発光素子からなる照明器具において、商用電源に接続された照明器具制御用の電源スイッチと、
上記電源スイッチの操作の有無に拘わらず、常時所定の電源電圧が出力側に供給されるように、上記電源スイッチに取り付けられたモーメンタリースイッチ機能を有する操作変換器と、
上記発光素子に対するＤＣ電源回路と、
上記発光素子と上記ＤＣ電源回路との間に接続され、上記発光素子に駆動電流を供給する電流回路と、
非常用電源回路と、
上記ＤＣ電源回路の出力電圧から得られた上記電源スイッチの操作に関連した出力信号が供給される上記電流回路制御用の制御回路と、
上記電源スイッチの出力側であって、上記ＤＣ電源回路の入力側に接続される停電検知回路とからなり、
上記制御回路で上記ＤＣ電源回路の出力が監視されて上記電源スイッチのオンオフ操作に対応するように、上記電流回路の出力が上記制御回路によって制御されると共に、停電検知信号が得られたとき、上記非常用電源回路から上記発光素子に駆動電圧が供給されることを特徴とする照明器具。
【請求項２】
光センサが設けられ、
この光センサからのセンサ出力が上記制御回路に供給され、
上記センサ出力によって停電時の点灯状態が制御される
ことを特徴とする請求項１記載の照明器具。
【請求項３】
上記センサ出力の断続に応じて停電時における明るさが制御されることを特徴とする請求項２記載の照明器具。
【手続補正２】
【補正対象書類名】明細書
【補正対象項目名】０００８
【補正方法】変更
【補正の内容】
【０００８】
請求項１記載のこの発明に係る発光素子からなる照明器具は、商用電源に接続された照明器具制御用の電源スイッチと
上記電源スイッチの操作の有無に拘わらず、常時所定の電源電圧が出力側に供給されるように、上記電源スイッチに取り付けられたモーメンタリースイッチ機能を有する操作変換器と、
上記発光素子に対するＤＣ電源回路と、
上記発光素子と上記ＤＣ電源回路との間に接続され、上記発光素子に駆動電流を供給する電流回路と、
非常用電源回路と、
上記ＤＣ電源回路の出力電圧から得られた上記電源スイッチの操作に関連した出力信号が供給される上記電流回路制御用の制御回路と、
上記電源スイッチの出力側であって、上記ＤＣ電源回路の入力側に接続される停電検知回路とからなり、
上記制御回路で上記ＤＣ電源回路の出力が監視されて上記電源スイッチのオンオフ操作に対応するように、上記電流回路の出力が上記制御回路によって制御されると共に、停電検知信号が得られたとき、上記非常用電源回路から上記発光素子に駆動電圧が供給される
ことを特徴とする。
【手続補正３】
【補正対象書類名】明細書
【補正対象項目名】０００９
【補正方法】変更
【補正の内容】
【０００９】
請求項２記載のこの発明に係る照明器具は、光センサが設けられ、
この光センサからのセンサ出力が上記制御回路に供給され、
上記センサ出力によって停電時の点灯状態が制御される
ことを特徴とする。
【手続補正４】
【補正対象書類名】明細書
【補正対象項目名】００１０
【補正方法】変更
【補正の内容】
【００１０】
請求項３記載のこの発明に係る照明器具は、請求項２記載の照明器具において、
上記センサ出力の断続に応じて停電時における明るさが制御されることを特徴とする。
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】変更
【補正の内容】
【００１２】
請求項１に記載したこの発明に係る照明器具によれば、照明器具制御用の電源スイッチの操作の有無に拘わらず、常時所定の電源電圧が出力側に供給されるように、上記電源スイッチにモーメンタリースイッチ機能を有する操作変換器を取り付けることで、電源スイッチの操作の有無に拘わらず、所定の電源電圧が発光素子に対するＤＣ電源回路に供給されるように構成すると共に、電源スイッチの操作を内蔵制御回路で監視し、電源スイッチの操作に対応した点灯制御（オンオフ制御）を行えるようにしたものであり、さらにＤＣ電源回路の入力側に流れる電流によって停電の有無を検知し、停電が検知されたときには非常用電源回路から発光素子が駆動されるようにして、発光素子からなる照明器を非常灯として使用できるようにしたものである。